(57)【要約】      （修正有）【課題】耐振動性にも、耐熱性にも優れたＡＥＤを収納するＡＥＤ収納箱又はＡＥＤを搭載した乗用カートを提供する。【解決手段】ＡＥＤを乗用カートに搭載するためのＡＥＤ収納箱１０１であって、金属製の箱の内側にクッション材１１２を介してＡＥＤを収納する収納部と、前記金属製の箱１１０の周囲に沿って、エアーを供給する空冷ファンを設けてなる外箱からなるＡＥＤ収納箱又は、これら収納箱を搭載した乗用カートをそなえる。【選択図】図２
2013078547.tif 000002
【特許請求の範囲】
【請求項１】
ＡＥＤを乗用カートに搭載するためのＡＥＤ収納箱であって、金属製の箱の内側にクッション材を介してＡＥＤを収納する収納部と、前記金属製の箱の周囲に沿って、エアーを供給する空冷ファンを設けてなる外箱からなることを特徴とするＡＥＤ収納箱。
【請求項２】
前記金属製の箱の内側または外側の近傍に設けた温度計と、あらかじめ設定した温度を記憶する記憶部を設け、前記温度計のデータを受信し、あらかじめ設定した温度に達しているときに、電源供給を行うようにコントロールする制御部を設けてなることを特徴とする請求項１記載のＡＥＤ収納箱。
【請求項３】
前記金属製の箱の周囲に多数のフィンを設け、さらにこの外側で、前記フィンの羽に沿って、エアーを供給する空冷ファンを設けてなる外箱からなることを特徴とする前記請求項１乃至２記載のＡＥＤ収納箱。
【請求項４】
金属製の箱の内側にクッション材を介してＡＥＤを収納する収納部と、前記金属製の箱の周囲に沿って、エアーを供給する空冷ファンを設けてなる外箱からなるＡＥＤ収納箱を設けた乗用カート。
【請求項５】
前記金属製の箱の内側または外側の近傍に設けた温度計と、あらかじめ設定した温度を記憶する記憶部を設け、前記温度計のデータを受信し、あらかじめ設定した温度に達しているときに、電源供給を行うようにコントロールする制御部を設けてなることを特徴とする前記請求項４記載のＡＥＤ収納箱を設けた乗用カート。
【請求項６】
前記金属製の箱の周囲に多数のフィンを設け、さらにこの外側で、前記フィンの羽に沿って、エアーを供給する空冷ファンを設けてなる外箱からなるＡＥＤ収納箱を設けたことを特徴とする前記請求項４乃至５記載の乗用カート。
【請求項７】
前記ＡＥＤ収納箱は、乗用カートの前席の下部に収納し、座席シートを前記ＡＥＤ収納箱の蓋にしたことを特徴とする前記請求項４乃至６記載のＡＥＤ収納箱を設けた乗用カート。
【発明の詳細な説明】
【技術分野】
【０００１】  本発明はゴルフ場内で使用される自動体外式除細動器用（ＡＥＤ）の収納箱及びＡＥＤ収納箱を設けた乗用カートに関する。
【背景技術】
【０００２】  昨今、ＡＥＤ（自動体外式除細動器、Ａｕｔｏｍａｔｅｄ  Ｅｘｔｅｒｎａｌ  Ｄｅｆｉｂｒｉｌｌａｔｏｒ）を用いた人命救助が広く普及してきている。そもそもＡＥＤとは、心室細動の際に機器が自動的に解析を行い、必要に応じて電気的なショック（除細動）を与え、心臓の働きを戻すことを試みる医療機器である。これらＡＥＤは、今までは医師の管理下でなければ使用できなかったものが、２００３年になって、ようやく救急救命士に使用（医師の指示なく）が認められ、２００４年７月からは一般市民も使えるようになり、空港や学校、球場、駅などの公共施設に設置され今日に至っている。【０００３】  また、ＡＥＤを必要とする場面には、元来心臓に疾患がある方は勿論のこと、日常生活の中でも突発的発作を起こすることから、ＡＥＤを必要とする場面も多くなってこるのも事実のようである。日常のストレスや疲れなどもその要因の一つとして言われている。【０００４】  そして、ＡＥＤを用いた対処は早ければ早いほど、その後の回復と後遺症問題に対して大きな差が出ることも知られている。少し前の総務省消防庁の調査では、心肺停止の人にＡＥＤを使った場合、１か月後の生存率は４２．５％で、行わなかった場合の９．７％に比べ、４倍以上の高い救命効果を発揮するとの報告があり、また心室細動は、発生から１分ごとに救命率が７〜１０％下がると言われ、４分を経過すると何らかの脳に対するダメージが発生するとも言われている。その一方で、日本の救急車が現場に到着する時刻は６分〜１０分程度かかっていると言われており、ＡＥＤを使った人命救助は大変大きな活躍と大勢の命を救えることができると期待されている。【０００５】  さて、一時期に比べてその人気はすたれたと言われているゴルフ娯楽も、若手男女のプロゴルフ人気により、個人の趣味や社交の場として楽しまれているスポーツである。広いゴルフ場内を歩くと述べ数十キロとも言われる長いコースを、一緒にコースを回る仲間内の中での競技でありながらも、日常の疲れやストレスなどで、心身共にハードなスポーツでもある。【０００６】  各ホールを回るのには、最近では電動式の人員移動車（乗用カート車）の利用で、重たいゴルフバックを引きさげて長いコースを回ることも減っては来ているものの、突然の天候の変化や、また夏季や冬季の気温の急激な変化により、ゴルフを楽しむ人にとっても思わぬ事故や災害にも遭遇しかねないとの危険性を秘めたスポーツでもあるのが現状でもある。【０００７】  上述するように、ＡＥＤを必要とする場面は昨今のストレス社会においては、いかなる場面でも発症する危険性が高まっているのが現状である。そのために、最近では主要な施設や公共施設などにＡＥＤが設置されていて、その取扱いの講習を受けた人であれば、自由に使うことができ緊急時に備えて人命の救助ができる環境が整ってきている。【０００８】  しかしながら、限られた地域や施設などで、特に大衆が少なくプライベートの環境としての娯楽、スポーツであるゴルフ場内においては、ゴルフを楽しむ人口以外には、ＡＥＤを必要とする場面に遭遇した場合の救護者としてなり得る人は、仲間内であったりゴルフ場のスタッフでしか、その急患に対する人命救助ができないのが現状である。【０００９】  ゴルフ場内の殆どが広い大地であり、その場内にはクラブハウスと称する建物がそれこそ一軒程度しかなく、万一ＡＥＤを必要とする場面が発生して場合でも、コースの場所によっては、かなり遠くのクラブハウスまで救いを求めに走ることが必要となる。【００１０】  ただ、上述するように最近ではコースの移動には乗用カート車というガソリンエンジン式や電動式のゴルフ場内で使用する専用の人員移動車があるので、最悪時はこの乗用カート車に急患を載せてクラブハウスまで搬送することも可能であり、また乗用カート車そのものにＡＥＤを搭載することもできので、万が一の不慮の事故が発生した場合でも何かしらの緊急対応ができる環境にはなりつつあるのも現状である。【００１１】  しかし、ＡＥＤとは自己に搭載する充電池により本体が動作し、また本体と人体とに電気的ショックを与えるのには専用のパッドを少なくとも２つ用意して、このパッドを介して人命救助の電気的信号（ショック）を与えるという、大変精密で緊急時の安定した動作に備えて、日常のＡＥＤの保管や管理が大変難しい電子機器でもあることを忘れてはならない。【００１２】  一方、特許文献１には、電動ゴルフカートの技術が紹介されているが、ＡＥＤを搭載したゴルフカートは見当たらない。特許文献２でもゴルフカートの位置を自動的に認識するゴルフカートシステムが紹介されているが、やはり、ＡＥＤを搭載して、心停止を起こし、救命措置に備えたゴルフカートは見当たらない。【００１３】  また、仮にゴルフカートにＡＥＤを搭載するとなると、本来ＡＥＤは、高度医療機器になるため、その扱いは慎重にしなければならない。例えば、凸凹道を走り回るゴルフカートであるから、振動の問題がある。また、夏の炎天下でも行うスポーツでもあるので、耐熱の問題もある。特許文献３に示されるＡＥＤ収納箱は、屋内用のためこれら、耐振動についても、耐熱の問題も何ら考慮されていない。
【先行技術文献】
【特許文献】
【００１４】
【特許文献１】特開２００６−１９７７５１号公報
【特許文献２】特開２００８−１７８６７７号公報
【特許文献３】特開２０１０−１９４０３０号公報
【発明の概要】
【発明が解決しようとする課題】
【００１５】  本発明は、ゴルフ場の乗用カートに搭載しても、耐振動性にも、耐熱性にも優れたＡＥＤを収納するＡＥＤ収納箱及びＡＥＤを搭載した乗用カートを提供することを目的としている。
【課題を解決するための手段】
【００１６】  本発明に係るＡＥＤ収納箱は、金属製の箱の内側にクッション材を介してＡＥＤを収納する収納部と、金属製の箱の周囲に沿って、エアーを供給する空冷ファンを設けてなる外箱からなる。【００１７】  また金属製の箱の内側または外側の近傍に設けた温度計と、あらかじめ設定した温度を記憶する記憶部を設け、温度計のデータを受信し、あらかじめ設定した温度に達しているときに、電源供給を行うようにコントロールする制御部を設けてなる。【００１８】  上記において、金属製の箱の周囲に多数のフィンを設け、さらにこの外側で、フィンの羽に沿って、エアーを供給する空冷ファンを設けてなる外箱からなる。【００１９】  さらに本発明に係る構成としては、金属製の箱の内側にクッション材を介してＡＥＤを収納する収納部と、金属製の箱の周囲に沿って、エアーを供給する空冷ファンを設けてなる外箱からなるＡＥＤ収納箱を設けた乗用カートであってもよい。【００２０】  また、乗用カートは、さらに金属製の箱の内側または外側の近傍に設けた温度計と、あらかじめ設定した温度を記憶する記憶部を設け、温度計のデータを受信し、あらかじめ設定した温度に達しているときに、電源供給を行うようにコントロールする制御部を設けてなる構成となっている。【００２１】  そしてさらに、上記において、金属製の箱の周囲に多数のフィンを設け、さらにこの外側で、フィンの羽に沿って、エアーを供給する空冷ファンを設けてなる外箱を設けてなる乗用カートであってもよい。【００２２】  また上記においてＡＥＤ収納箱は、乗用カートの前席の下部に収納し、座席シートをＡＥＤ収納箱の蓋にしたものであっても良い。
【発明の効果】
【００２３】  このような構成にすることで、ＡＥＤは、精密機器とし、耐震性にも耐熱性にも優れた、環境で移送、保管でき、万が一ＡＥＤを必要とする事態が発生した場合にも、確実に機能するＡＥＤを提供できる。本発明は、ＡＥＤ収納箱及びＡＥＤを搭載した乗用カートの形態であり、以後その実施態様を説明する。
【図面の簡単な説明】
【００２４】
【図１】  実施例を示すＡＥＤの収納箱を搭載した乗用カートの概念図である。
【図２】  実施例を示すＡＥＤ収納箱の説明図。
【図３】  実施例を示すＡＥＤ収納箱の断面説明図。
【図４】  実施例を示すＡＥＤ収納箱及び乗用カートの制御系説明図。
【図５】  実施例を示すＡＥＤが搭載の有無を検出するフロー説明図。
【図６】  実施例を示すＡＥＤを搭載した乗用カートの概念図である。
【図７】  本発明を利用する乗用カートの緊急通報スイッチ周辺の概念図である。
【図８】  本発明を利用する緊急時の通報システムの概念を示す図である。
【図９】  実施例を示す第一の乗用カート、第二の乗用カートの種別を説明する図である。
【図１０】  実施例を示す各乗用カート車に搭載される位置情報認識手段により、ゴルフ場内での乗用カート車の位置を認識できる概念図を示す図である。
【発明を実施するための形態】
【００２５】  本発明の実施態様を図面に基づいて説明する。
【実施例】
【００２６】  まず図１、図２に基づいて説明する、ＡＥＤ２を収納する収納箱１０１は、金属製の箱１１０の内側にウレタンなどで構成されるクッション材１１２を介してＡＥＤ２を収納する収納部１００と、前記金属製の箱１１０の周囲に多数のフィン１１１を設けたものが準備される。さらにこの外側で、前記フィン１１１の羽に沿って、エアーを供給する空冷ファン１０６（図３参照）を設けてなる空冷ファン取り付け板１０３からなる外箱１０２が設けられ、前記収納箱１１１が収まるようになっている。【００２７】  これにより、前記空冷ファン１０６を取り付けた空冷ファン取り付け板１０３の空気取り込み穴１０４からエアーを供給し、図２、図４中、右側の空気排出口を設けた側板１０５から空気が排出されるようになっており、多数の前記フィン１１１から熱を奪い収納箱を冷却できるようになっている。【００２８】  また、この収納箱１０１は、ゴルフの乗用カート１の椅子３６の収納用部３に収められるようになっている。この椅子３６は、側板３６ｂと座席となる座席シート３６ａを有し、座席シート３６ａは一端を蝶番で保持され、開閉できるようになっている。座席シート３６ａの内側には、前記収納箱１０１の蓋を兼ね、クッション材１１２が張り付けられている。また、側板３６ｂにおける側部（乗用カートの側部）側には、外気を取り入れる排出する穴３６ｃが設けられている。【００２９】  上記におけるクッション材１１２は、図１１に示すように、箱１１０ｂの四隅に設けたクッション材１１２ｂとしても良く、収納するＡＥＤを四隅で支えるものであっても良い。また、金属製の箱１１０や１１０ｂは、側板をメッシュ状や多数の小穴が開いた通気性の良いものを選択して構成しても良い。こうすることで、通気性の保ち、不必要に温度上昇を抑えることができる。空冷ファン１０６での冷却する際も効率よく冷却できるようになる。【００３０】  一方、図４に示されるように、この収納箱１０１あらかじめＡＥＤに付された、ＲＦＩＤ（Ｒａｄｉｏ  Ｆｒｅｑｕｅｎｃｙ  Ｉｄｅｎｔｉｆｉｃａｔｉｏｎ）などのＩＣタグが付された識別コードを読み取るＡＥＤ識別コード読取部５３が設けられ、収納箱１０１にＡＥＤが搭載されたかどうかを判別できるようになっている。さらに収納箱１０１には、前記金属製の箱１１０の内側または外側の近傍に設けた温度計５２と、前記空冷ファン１０６の電源供給部５４と、あらかじめ設定した温度を記憶する記憶部５７を設け、前記温度計５２のデータを受信し、あらかじめ設定した温度に達しているかどうかを記憶部５７から読み取り、電源供給を行うようにコントロールする制御部５７を設けてなる。【００３１】  上記電源供給部５４は、乗用カート１の天部に設けた太陽光パネル（ソーラーバッテリ）５９から電源の供給を受けて冷却ファン５１（１０６）に供給されるようになっている。さらに、制御部５５には、ＡＥＤ情報読取装置５６が接続されて、ＡＥＤのバッテリーの状態、起動状態などメンテナンス情報が受信できるようになっている。さらにＡＥＤ識別コード読取部５３によるＡＥＤ搭載の有無及びこれらメンテナンス情報も含めて通信部５８を介して、外部との送受信ができるようになっている。【００３２】  特に、乗用カート１については、ゴルフ場の管理棟の情報端末と連携しており、乗用カート１の位置情報取得手段６０によって、それぞれの乗用カートが各コースのどの位置にいるかを把握できるようになっている。したがって、図５に示されるように乗用カートは、クラブハウスからスタートすると（ステップ１２１）、順次カートの位置情報とともにカート番号が送信され（ステップ１２２）、適時に記憶部５７を読み取り、ＡＥＤ搭載の有無及びＡＥＤの異常信号の記録があると同時に管理端末に報告される（ステップ１２３）ようになっている。そうして、再度クラブハウスに戻るか、倉庫に収納され電源が切られるまで、順次情報のやり取りが繰り返される。【００３３】  尚、本実施例では、ゴルフの乗用カート１に上記太陽光パネル（ソーラーバッテリ）５９、通信部５７、現在位置情報取得手段６０など全てが、ＡＥＤ収納箱に一体的に取り付けられて構成されても良いもので有る。その際、図１で示した収納箱１０１に内側にクッション材が付加された蓋体が蝶番を介して取り付けられ構成される（図示せず）。【００３４】  本発明では、乗用カート全てにＡＥＤを搭載できないので、ＡＥＤを搭載していない第一の乗用カートとＡＥＤを搭載している第二の乗用カートに分けて、（なお、図６〜図８については、乗用カートを第一、第二と区別せずに）説明する。図６は本発明の乗用カート（１）の概念図で、主に一般的に使用されている形態で構成されている。例えば、ゴルフをプレイするに当たり通常人数構成である４人と、乗用カート（１）の運転とキャディーを兼ねるスタッフ１人の合計５人が搭乗できるようになっている。【００３５】  前輪（３１）と後輪（３２）のカバ−部にあたるカウル（３３）と呼ばれるシャーシ（３３´）とボディー（３４）とから成り、運転用の各種操作部（図示しない）とハンドル（３５）、及び搭乗者が座る椅子（３６）とゴルフバックを載せるキャリー部（３７）で構成させる。【００３６】  乗用カート（１）の動力は図示していないが、シャーシ（３３´）内部の電動モータとその電源である蓄電池である。自動体外式除細動器（２）はこの乗用カート（１）の一部に、断熱構造、防湿構造、耐震構造を備えた自動体外式除細動器（２）収納容器（３：収納用部）がある。例えば図６中の椅子（３６）の下部分などが有力である。【００３７】  例えば、断熱構造と防湿構造とは前述したとおりであるが、自動体外式除細動器（２）を収納する箇所にダンパーとしてスプリングやバネあるいは緩衝材などを用いることで、乗用カート（１）の振動が直接自動体外式除細動器（２）に伝わらないように施すものである。【００３８】  また、乗用カート（１）の外部視覚から認識できる場所には、表示灯（４）が設けてあり、乗用カート（１）にある緊急通報スイッチ（６）を押すことで連動して表示して周囲にその事態発生を知らせる緊急信号（５）が発せられるものである。表示と共に音声（ブザーやサイレン）も鳴らすと更に効果がある。また、同時にゴルフ場の管理施設（４１）やまた周辺の他の乗用カート（１´）にも通報がなされ、救援者を募ることができる。【００３９】  通報動作は、ゴルフ場内に設置される専用の通信手段（無線、有線）や、一���公衆回線、携帯電話通信網などが利用され、通報と同時に双方で会話もできることから、事故の発生を速やかにかつ、詳細に第三者に伝達することができるので、第三者を介して救急車への連絡依頼なども行うことができ、事故に遭われた人命救済の確立を高めることもできる。【００４０】  図７に示すのは、本発明の乗用カート（１）の緊急通報スイッチ（６）周辺の概念図である。緊急通報スイッチ（６）は乗用カート（１）の周囲で、誰からも目に止まる場所に設置されている。必要に応じて複数個所に緊急通報スイッチ（６）を設置しても構わない。緊急通報スイッチ（６）は通話回線とも連動しており、万一の事故の発生と合わせて、周辺にある他の乗用カート（１）あるいはクラブハウスとの通報が可能となる。【００４１】  通報と同時に表示灯（４）も動作し、更に周囲に対して事故の発生を知らしめることができる。表示灯（４）には例えば太陽光発電モジュールを備えておくと、表示灯（４）そのものの動作などの電源としても供給ができるので、乗用カート（１）を駆動する蓄電池の消耗も抑えることができる。【００４２】  図８に示すのは緊急通報スイッチ（６）が押された時のシステムの概念を説明する図である。例えば、当該事故の発生した乗用カート（１）から緊急通報スイッチ（６）が押されて、緊急通報が発せられた場合には、他の場所にある乗用カート（１）や、クラブハウスにも通報がなされることで、緊急事態の発生を広く知らせることができる。【００４３】  またその一方では、仮に乗用カート（１）に自動体外式除細動器（２）が実装、搭載されていない場合であれば、この緊急通報スイッチ（６）を押すことで、事故が発生したことが周囲にも伝達されるので、自動体外式除細動器（２）を搭載した乗用カート（１）が現場に急行し、急患に対して適切な処置を行うことができる。【００４４】  さて、図９に示す本発明の特徴である乗用カート間での相互位置認識についての説明をする。
本発明は、ゴルフ場などの乗用カート（１）などに採用される自動体外式除細動器（２）による救命システムにおける、自動体外式除細動器を搭載しない所望数の第一の乗用カート（１）と、自動体外式除細動器（２）を搭載する所望数の第二の乗用カート（１´）が混在して配置される、例えばゴルフ場での運用である。【００４５】  第一の乗用カート（１）には、自動体外式除細動器（２）による救命措置を要する場合に、救命支援要請信号に基づき、音声（７）・表示（灯）（４）等による緊急信号発生手段と、管理棟を介して、または直接前記第二の乗用カート（１´）に救命信号を送信する救命送信手段とを有し、
前記第二の乗用カート（１´）には、前記第一の乗用カート（１）からの救命信号受信手段と、受信した救命信号に基づき、前記第一の乗用カート（１）とは種類の異なる音声（７）・表示（灯）（４）等による緊急信号発生手段が設けられてなる点が重要である。【００４６】  このことを図９では整理して表記している。要するに、第一の乗用カートには自動体外式除細動器（２）が搭載されていない乗用カート（１）であり、その乗用カートを利用したゴルフブレイヤーの中に、万一自動体外式除細動器（２）を必要とする場面が発生した場合には、乗用カート（１）に設置されている緊急通報スイッチ（６）を押すことで、自乗用カート（１）の表示灯（４）や音声（７）が動作し、緊急事態が発生したことを知らせる。【００４７】  この時、第一の乗用カート（１）からは音声（７）としては、♪ウゥ〜と、表示灯（４）では赤色のランプを点らせるものである。一方、自動体外式除細動器（２）を搭載する第二の乗用カート（１´）では、緊急事態の発生を救命信号の受信により検知すると同時、第一の乗用カート（１）から発せられる音声（７）や表示灯（４）とは異なる内容のものを発して、自動体外式除細動器（２）を必要とする第一の乗用カート（１）に向かって急行する。一例として、第二の乗用カート（１´）からは、♪ホワンホワンという音声と、青色に点らせた表示灯（４）によりその動作中であることを知らせるものである。【００４８】  このように、自動体外式除細動器（２）を搭載しないが、自動体外式除細動器（２）必要とする第一の乗用カートからの音声（７）や表示灯（４）、あるいは自動体外式除細動器（２）を搭載する第二の乗用カート（１´）が音声（７）や表示灯（４）を点らせることで、ゴルフ場内の全域に対して緊急事態が発生したことを知らせることができる。【００４９】  また、図１０に示すのは、第一の乗用カート（１）には、さらに現在位置情報取得手段６０が設けられ、前記救命送信手段による救命信号と同時に救命支援要請をする位置情報を付加して送信するとともに、第二の乗用カート（１´）における救命信号受信手段は、第一の乗用カート（１）からの現在位置情報を受信する位置情報認識手段を有し、またその逆に、第二の乗用カート（１´）には、現在位置情報取得手段が設けられるとともに、第一の乗用カート（１）における救命信号に基づき、第二の乗用カート（１´）の現在位置を第一の常用カート（１）に送信する送信手段を設け、第一の乗用カート（１）には、第二の乗用カート（１´）からの現在位置情報を受信する位置情報認識手段を有している。【００５０】  要するに、自動体外式除細動器（２）を搭載しない第一の乗用カート（１）あるいは、自動体外式除細動器（２）を搭載する第二の乗用カート（１´）から発せられる音声（７）や表示灯（４）により周囲に対する緊急事態の知らせを行わせるが、各乗用カートに搭載される現在位置情報手段により、発生現場から遠距離にある乗用カートに対しても正確な位置情報を知らせることができるので、多方面からの救援を呼び求めることができる。【００５１】  図１０では概念としてゴルフ場内の地図を表示するディスプレイの中に、自動体外式除細動器（２）を必要とする自乗用カート（●）と、その他の乗用カート（○）で表示して双方の場所を地図上に表示したものである。なお、上記で説明する音声（７）から発せられる信号音（ウゥ〜やホワンホワン）や、表示灯（４）の色については、特に固定、限定するものでは無く、それらの組み合わせにより、少なくとも一部が異なり、第一の乗用カート（１）と第二の乗用カート（１´）すなわち、自動体外式除細動器（２）を搭載するか、しないかの識別ができさえすれば良い。【００５２】  また、自動体外式除細動器（２）を搭載する第二の乗用カート（１´）を利用するゴルフブレイヤーの中に自動体外式除細動器（２）を必要する事態が発生した時にも同様に緊急通報スイッチ（６）を押すことで周囲に対して緊急事態の発生を知らせると共に、緊急通報と同時に各乗用カート、あるいはゴルフ場の管理施設（４１）（クラブハウス）にも知らせることができるので、急患の速やかな救命活動を行うことができる。また、速やかな対応は急患のその後の後遺症発生の低減を促進できることや、大勢の貴重な人命を救うことで社会的にも大きな効果を奏することは言うまでもない。【００５３】  本発明は、特にゴルフの常用カートに採用した事例であって、ＡＥＤが高度医療機器であって、精密性が要求されるので耐震性、耐熱性に優れた効果をもたらす、ＡＥＤ収納箱及びこれら収納箱を搭載した乗用カートを提案するものであって、社会的に極めて有益なものが提供できる。
【産業上の利用可能性】
【００５４】  本発明は、ゴルフ場内で使用するＡＥＤ収納箱又は、これら収納箱を搭載した乗用カートとして説明したが、同様に類似の場所や乗り物に応用が可能となり、産業上の利用可能性が十分期待できる。
【符号の説明】
【００５５】１、１´・・・乗用カート（第一、第二）
２・・・自動体外式除細動器
３・・・格納容器
４・・・表示（灯）
５・・・緊急信号
６・・・緊急通報スイッチ
７・・・音声
５１・・・冷却ファン
５２・・・温度計
５３・・・ＡＥＤ識別コード読取部
５４・・・電源供給部
５５・・・制御部
５６・・・ＡＥＤ情報読取装置
５７・・・記憶部
５８・・・通信部
５９・・・太陽光パネル
６０・・・現在位置取得手段
６１・・・表示手段
１００・・・ＡＥＤ収納部
１０１、１０１ｂ・・・ＡＥＤ収納箱
１０２・・・外箱
１０３・・・フィン取付板
１０４・・・空気取り入れ口
１１０、１１０ｂ・・・金属性箱
１１１・・・フィン
１１２、１１２ｂ・・・クッション材
【図１】
2013078547.tif 000003
【図２】
2013078547.tif 000004
【図３】
2013078547.tif 000005
【図４】
2013078547.tif 000006
【図５】
2013078547.tif 000007
【図６】
2013078547.tif 000008
【図７】
2013078547.tif 000009
【図８】
2013078547.tif 000010
【図９】
2013078547.tif 000011
【図１０】
2013078547.tif 000012
【図１１】
2013078547.tif 000013
【手続補正書】
【提出日】平成24年2月6日(2012.2.6)
【手続補正１】
【補正対象書類名】明細書
【補正対象項目名】００２４
【補正方法】変更
【補正の内容】
【００２４】
【図１】  実施例を示すＡＥＤの収納箱を搭載した乗用カートの概念図である。
【図２】  実施例を示すＡＥＤ収納箱の説明図。
【図３】  実施例を示すＡＥＤ収納箱の断面説明図。
【図４】  実施例を示すＡＥＤ収納箱及び乗用カートの制御系説明図。
【図５】  実施例を示すＡＥＤが搭載の有無を検出するフロー説明図。
【図６】  実施例を示すＡＥＤを搭載した乗用カートの概念図である。
【図７】  本発明を利用する乗用カートの緊急通報スイッチ周辺の概念図である。
【図８】  本発明を利用する緊急時の通報システムの概念を示す図である。
【図９】  実施例を示す第一の乗用カート、第二の乗用カートの種別を説明する図である。
【図１０】  実施例を示す各乗用カート車に搭載される位置情報認識手段により、ゴルフ場内での乗用カート車の位置を認識できる概念図を示す図である。
【図１１】  実施例を示すＡＥＤ収納箱のクッション材の説明図。